(57)【特許請求の範囲】
【請求項１】
ガイドレール（２２）に沿ってキャリッジ（２４）を往復方向に移動し、該キャリッジ（２４）に搭載したカッタ機構によって印字済みの用紙（３０）を切断するようにしたインクジェット・プリンタにおいて、前記ガイドレール（２２）に沿ったキャリッジ（２４）の移動経路の両端に側板（３２）（３４）を配設し、前記キャリッジ（２４）にカッタ（５２）を昇降自在に支持し、前記キャリッジ（２４）にカッタカム（５６）を２方向に移動自在に設け、該カッタカム（５６）の両側壁にカッタ（５２）を上昇位置に保持する上位水平部（５８ａ）とカッタ（５２）を下降位置に保持する下位水平部（５８ｂ）と両水平部（５８ａ）（５８ｂ）間を連結する傾斜部とを備えた溝からなる案内部（５８）を設け、該案内部（５８）に前記カッタ（５２）の支軸（５４）をスライド自在に嵌合配置し、該カッタカム（５６）が一方向に移動すると該カッタカム（５６）の前記案内部（５８）によって前記カッタ（５２）が用紙切断位置に移動し、前記カッタカム（５６）が他方向に移動すると該カッタカム（５６）の前記案内部（５８）によって前記カッタ（５２）が用紙（３０）から引っ込んだ位置に移動するように成し、前記カッタカム（５６）を、前記キャリッジ（２４）の移動によって前記側板（３２）（３４）に衝突させることにより、２方向に移動し得るように成し、前記キャリッジ（２４）にローラ（４４）を回転自在に設け、該ローラ（４４）を用紙（３０）の上から該用紙を受ける受ける面（２８）に弾接させながら前記カッター（５２）によって前記用紙（３０）を切断するようにしたことを特徴とするカッタ機構。
【発明の詳細な説明】
【０００１】
【発明の属する技術分野】
本発明は、インクジェット・プリンタにおけるカッタ機構に関する。
【０００２】
【従来技術】
特開平５−２２９２０４号公報には、インクジェットヘッドからプリント媒体に向けてインクを噴射し、プリント媒体に作画を行うインクジェット・プリンタが開示されている。また、特開平６−３２８８９７号公報には、ロール紙の作画済みの領域を、画線ヘッドに昇降駆動機構を介して設けられたカッターにより切断するようにした自動製図機のカッタ機構が開示されている。
【０００３】
【発明が解決しようとする課題】
インクジェット・プリンタにおいて、長尺用紙に所定範囲づつ印字を行う場合、所定範囲の印字後、この印字済み部分を、連続する未印字部分から切り離すため、カッタ機構を設ける必要がある。通常、この種のカッタ機構は、カッタを上下動させる専用のアクチュエータを必要とし、機構が複雑となるという問題点があった。
本発明は上記問題点を解決することを目的とするものである。
【０００４】
【課題を解決するための手段】
上記の目的を達成するため、本発明は、ガイドレール（２２）に沿ってキャリッジ（２４）を往復方向に移動し、該キャリッジ（２４）に搭載したカッタ機構によって印字済みの用紙（３０）を切断するようにしたインクジェット・プリンタにおいて、前記ガイドレール（２２）に沿ったキャリッジ（２４）の移動経路の両端に側板（３２）（３４）を配設し、前記キャリッジ（２４）にカッタ（５２）を昇降自在に支持し、前記キャリッジ（２４）にカッタカム（５６）を２方向に移動自在に設け、該カッタカム（５６）の両側壁にカッタ（５２）を上昇位置に保持する上位水平部（５８ａ）とカッタ（５２）を下降位置に保持する下位水平部（５８ｂ）と両水平部（５８ａ）（５８ｂ）間を連結する傾斜部とを備えた溝からなる案内部（５８）を設け、該案内部（５８）に前記カッタ（５２）の支軸（５４）をスライド自在に嵌合配置し、該カッタカム（５６）が一方向に移動すると該カッタカム（５６）の前記案内部（５８）によって前記カッタ（５２）が用紙切断位置に移動し、前記カッタカム（５６）が他方向に移動すると該カッタカム（５６）の前記案内部（５８）によって前記カッタ（５２）が用紙（３０）から引っ込んだ位置に移動するように成し、前記カッタカム（５６）を、前記キャリッジ（２４）の移動によって前記側板（３２）（３４）に衝突させることにより、２方向に移動し得るように成し、前記キャリッジ（２４）にローラ（４４）を回転自在に設け、該ローラ（４４）を用紙（３０）の上から該用紙を受ける受ける面（２８）に弾接させながら前記カッター（５２）によって前記用紙（３０）を切断するようにしたものである。
【０００５】
【発明の実施の形態】
以下に本発明の実施の形態を、添付した図面を参照して詳細に説明する。
２はインクジェット・プリンタであり、プラテンドラム４と、インクジェット・プリントヘッド６を備えている。８，１０，１２は用紙押えローラ、１４は駆動ローラ、１６，１８，２０は用紙ガイドである。２２はガイドレールであり、印字部後方の用紙搬送路を横切って配置されている。前記ガイドレール２２にはキャリッジ２４が移動自在に取り付けられている。前記キャリッジ２４は、コントローラによって制御される駆動モータに連結し、該モータの駆動によって、前記ガイドレール２２沿って往復方向に駆動されるように構成されている。
【０００６】
２６は前記ガイドレール２２の上方にこれに対して平行に配置されたレール体であり、図１中、紙面垂直方向に伸びる定着面２８を備えている。前記レール体２６には、印字後のロール紙などの長尺用紙３０を定着面２８に導くガイド２０が固設されている。前記キャリッジ２４は、Ｕ字状の金属製板部材により構成され、これの前記ガイドレール２２に沿った往復移動端側には、側板３２，３４が配設されている。前記キャリッジ２４の両側壁にはＬ状の溝３６が形成され、これにオイルローラ３８の支軸４０が支承されている。キャリッジ２４の両側壁に形成された縦溝４２にはフューザローラ４４（定着コロ）の支軸４６がスライド自在に支承されている。
【０００７】
前記支軸４６はばね４８によって上方向に付勢され、この付勢力によって、フューザローラ４４は、レール体２６の定着面２８に弾接している。前記フューザローラ４４の表面には前記オイルローラ３８が当接し、該オイルローラ３８は、フューザローラ４４の回転とつれ回りするように構成されている。５０は前記キャリッジ２４の両側壁に形成された縦溝であり、これらには、カッタ５２の支軸５４が回転を阻止された状態でスライド自在に嵌合配置されている。
【０００８】
５６は前記キャリッジ２４内に、該キャリッジ２４に対してスライドガイド機構（図示省略）を介して、図２中、左右方向にスライド自在に配置されたＵ字状の金属板から成るカッタカムであり、これの両側壁に、溝から成るカッタ昇降案内部５８が形成されている。前記案内部５８は、カッタ５２を上昇位置に保持する上位水平部５８ａと、カッタ５２を下降位置に保持する下位水平部５８ｂと、両水平部５８ａ，５８ｂ間を連結する傾斜部とから構成されている。
【０００９】
次に、本実施形態の作用について説明する。
ロール紙などの長尺用紙３０は、プラテンドラム４に巻き付いた状態で、プリントヘッド６の図１中、紙面垂直方向の走査運動により、印字が施行される、長尺用紙３０の印字された部分は、プラテンドラム４の回転と駆動ローラ１４回転によって、用紙ガイド１６，１８に沿って、レール体２６の定着面２８に順次送られる。定着面２８に長尺用紙３０の印字部分が搬送されると、コントローラの制御により、キャリッジ２４が、ガイドレール２２に沿って往復移動され、フューザローラ４４によって、印字部分のインクが押しつぶされ、定着が行われる。
【００１０】
用紙３０を切断するときは、コントローラの制御によりキャリッジ２４がガイドレール２２の端部に移動し、キャリッジ２４が図２に示すように側板３２に衝突する。これにより、キャリッジ２４に対して右方向に突出していたカッタカム５６がキャリッジ２４に対して、左方向に相対移動し、カッタ５２の支軸５４がカッタ昇降案内部５８に案内されて縦溝５０に沿って上昇し、カッタ５２が、定着面２８より上方に突出する。即ち、用紙切断可能状態となる。
【００１１】
次に、キャリッジ２４が図２中、左方向に移動し、案内部５８によって用紙切断可能位置に係止されたカッタ５２により長尺用紙３０が切断される。カッタ５２を定着面２８より引込める場合には、キャリッジ２４を、図３に示すように、側板３４に衝突させ、カッタカム５６を、キャリッジ２４に対して、図３中、右方向に相対移動させる。これにより、カッタ５２の支軸５４は、カッタ昇降案内部５８に案内されて、縦溝５０に沿って下降し、カッタ５２が定着面２８より所定距離引っ込む。
【００１２】
【効果】
本発明は上述の如く、カッタを上下動するアクチュエータを用いないので、カッタ機構を簡単にすることが出来る効果が存する。
【図面の簡単な説明】
【図１】インクジェットプリンタの概略側面図である。
【図２】キャリッジの側面図である。
【図３】キャリッジの側面図である。
【符号の説明】
２    インクジェット・プリンタ
４    プラテンドラム
５    プリントヘッド
８    用紙押えローラ
１０  用紙押えローラ
１２  用紙押えローラ
１４  駆動ローラ
１６  用紙ガイド
１８  用紙ガイド
２０  用紙ガイド
２２  ガイドレール
２４  キャリッジ
２６  レール体
２８  定着面
３０  用紙
３２  側板
３４  側板
３６  溝
３８  オイルローラ
４０  支軸
４２  縦溝
４４  フューザーローラ
４６  支軸
４８  ばね
５０  縦溝
５２  カッタ
５４  支軸
５６  カッタカム
５８  案内部
５８ａ  上位水平部
【図１】
0003813255.tif 000002
【図２】
0003813255.tif 000003
【図３】
0003813255.tif 000004